(57)【特許請求の範囲】
【請求項１】
多チャンネルのＯＦＤＭ信号を受信アンテナにて受信し、該受信信号を送信アンテナから再送信する中継装置において、前記送信アンテナからの送信電波が前記受信アンテナに回り込むことにより前記受信信号に重畳された回り込み信号を除去する回り込みキャンセラであって、
前記受信アンテナにて受信された各チャンネルのＯＦＤＭ信号を、それぞれ、全チャンネル共通の特定周波数に周波数変換すると共に、該周波数変換後の特定周波数のＯＦＤＭ信号を抽出する複数の信号抽出手段と、
前記複数の信号抽出手段にて抽出された各チャンネルのＯＦＤＭ信号を時分割で順次取り込み、その取り込んだチャンネル毎に、前記送信アンテナから送信されたＯＦＤＭ信号の遅延プロファイルを算出する、一つの遅延プロファイル算出手段と、
該遅延プロファイル算出手段にてチャンネル毎に算出された遅延プロファイルに基づき、前記受信アンテナにて受信された各チャンネルのＯＦＤＭ信号に対する回り込み除去信号を各々生成する複数の除去信号生成手段と、
前記複数の除去信号生成手段にて生成された各チャンネルの回り込み除去信号を用いて、前記複数の信号抽出手段にて抽出された各チャンネルのＯＦＤＭ信号から回り込み信号を除去する複数の回り込み除去手段と、
前記複数の回り込み除去手段にて回り込み信号が除去されたＯＦＤＭ信号を、前記各信号抽出手段にて周波数変換される前の元の周波数に周波数変換する複数の周波数変換手段と、
該複数の周波数変換手段にて周波数変換された各チャンネルのＯＦＤＭ信号を混合して前記送信アンテナ側に出力する混合手段と、
前記複数の回り込み除去手段にて回り込み信号が除去されたＯＦＤＭ信号、若しくは、前記複数の周波数変換手段にて周波数変換され前記混合手段に入力されるＯＦＤＭ信号、の信号レベルを、それぞれ、所定の送信レベルに調整する複数のレベル調整手段と、
を備えたことを特徴とする回り込みキャンセラ。
【請求項２】
前記遅延プロファイル算出手段は、
前記各信号抽出手段にて抽出されたＯＦＤＭ信号を離散フーリエ変換することで当該ＯＦＤＭ信号の周波数軸上のスペクトルを抽出する離散フーリエ変換部と、
該離散フーリエ変換部にて抽出されたスペクトルに基づき前記送信アンテナから前記受信アンテナに至る伝送路の伝達関数を算出する伝達関数算出部と、
該伝達関数算出部にて算出された伝達関数の逆数を算出する逆数算出部と、
該逆数算出部からの出力を逆離散フーリエ変換することで前記遅延プロファイルを導出する逆離散フーリエ変換部と、
を備えたことを特徴とする請求項１に記載の回り込みキャンセラ。
【請求項３】
回り込み信号の除去対象となる対象チャンネルを外部から指定するための入力手段と、
前記信号抽出手段、前記除去信号生成手段、前記回り込み除去手段、前記周波数変換手段、及び、前記レベル調整手段によりチャンネル毎に構成される複数の信号処理手段の内、前記入力手段を介して指定された対象チャンネルに対応する信号処理手段を選択的に動作させ、該対象チャンネル以外のチャンネルに対応した信号処理手段の動作を停止させると共に、前記遅延プロファイル算出手段が時分割で順次取り込み前記遅延プロファイルを算出するＯＦＤＭ信号を、前記入力手段を介して指定された対象チャンネルのＯＦＤＭ信号に制限する制御手段と、
を備えたことを特徴とする請求項１又は請求項２に記載の回り込みキャンセラ。
【請求項４】
多チャンネルのＯＦＤＭ信号を受信アンテナにて受信し、該受信信号を送信アンテナから再送信する中継装置において、
前記送信アンテナからの送信電波が前記受信アンテナに回り込むことにより前記受信信号に重畳された回り込み信号を除去する回り込みキャンセラとして、請求項１〜請求項３の何れかに記載の回り込みキャンセラを備えたことを特徴とする中継装置。
【発明の詳細な説明】
【技術分野】
【０００１】
本発明は、地上デジタルテレビ放送等で利用されているＯＦＤＭ信号を中継する中継装置において、送信アンテナからの送信電波が受信アンテナに回り込むことにより受信信号に重畳される回り込み信号を除去するための回り込みキャンセラ、及び、この回り込みキャンセラを備えた中継装置に関する。
【背景技術】
【０００２】
地上デジタルテレビ放送等で利用されているＯＦＤＭ信号を周波数変換（換言すればチャンネル変換）することなく中継するＳＦＮ方式の中継装置には、送信アンテナからの送信電波が受信アンテナに回り込み、その回り込み信号を再送信することのないよう、回り込みキャンセラが設けられている。
【０００３】
この回り込みキャンセラは、回り込み信号の遅延プロファイル（複素インパルス応答）を測定し、その測定した遅延プロファイルに従い、受信信号から回り込み信号成分を除去するものである。
【０００４】
そして、遅延プロファイルの測定方法としては、例えば、下記ａ）〜ｃ）のような各種方法が知られている（例えば、特許文献１等参照）。
（ａ）ＯＦＤＭ信号に同期復調時の振幅位相基準として挿入されるＳＰ信号（Ｓｃａｔｔｅｒｅｄ  Ｐｉｌｏｔ  Ｓｉｇｎａｌ）等の基準信号を用いて伝送路の伝達関数を推定し、その推定した伝送路の伝達関数の逆数を逆離散フーリエ変換することで遅延プロファイルを測定する方法。
（ｂ）受信したＯＦＤＭ信号を離散フーリエ変換することで、受信帯域内のスペクトルを抽出し、各スペクトルを時間的に平均化して、その逆数を逆離散フーリエ変換する方法（詳しくは、特許文献２参照）。
（ｃ）上記（ｂ）と同様にＯＦＤＭ信号の周波数軸上の各スペクトルを時間的に平均化し、その時間平均値から各スペクトルの振幅特性を求めて、最小位相条件等を用いて伝送路の伝達関数を推定し、その推定した伝送路の伝達関数の逆数を逆離散フーリエ変換することで遅延プロファイルを測定する方法。
【０００５】
また、地上デジタルテレビ放送等の中継装置には、ＯＦＤＭ信号を１チャンネル分だけ再送信するのではなく、受信アンテナにて受信した多チャンネルのＯＦＤＭ信号を全て再送信するように構成されたものがある。
【０００６】
そして、この種の中継装置において、各チャンネルのＯＦＤＭ信号から回り込み信号成分を除去する方法としては、各チャンネルのＯＦＤＭ信号毎に遅延プロファイルを測定して、チャンネル毎に回り込み信号成分を除去する方法と、全チャンネルの周波数帯域内で一括して遅延プロファイルを測定し、全チャンネル一括して回り込み信号成分を除去する方法と、の２種類の方法が知られている（例えば、特許文献２，３等参照）。
【先行技術文献】
【特許文献】
【０００７】
【特許文献１】特開２００４−０８０６６８号公報
【特許文献２】特開２００８−０１７２３６号公報
【特許文献３】特開２００９−１０００６７号公報
【発明の概要】
【発明が解決しようとする課題】
【０００８】
しかし、上記前者のように、多チャンネルのＯＦＤＭ信号から回り込み信号を除去するために、チャンネル毎に遅延プロファイルを測定するようにすると、ＯＦＤＭ信号１波分の演算処理を並列して複数チャンネル分実行しなければならない。従って、この場合には、チャンネル数に応じて演算処理回路の数を増加する必要があり、回り込みキャンセラのコストアップを招くという問題がある。
【０００９】
また、上記後者のように、多チャンネルのＯＦＤＭ信号から回り込み信号を除去するために、全チャンネルの周波数帯域内で一括して遅延プロファイルを測定するようにした場合には、演算対象となる周波数帯域がチャンネル数に応じて増加するため、ＯＦＤＭ信号１波分と同精度で遅延プロファイルを測定するには、受信信号のサンプリング周波数を高くして演算処理を高速に実行しなければならない。
【００１０】
このため、多チャンネルのＯＦＭＤ信号の遅延プロファイルを全チャンネル分一括して演算するようにしても、チャンネル毎に演算する場合と同様、回り込みキャンセラのコストアップを招くという問題がある。
【００１１】
一方、こうした問題に鑑み、本発明者らは、多チャンネルのＯＦＤＭ信号から回り込み信号を除去する方法として、受信アンテナにて受信された複数チャンネルのＯＦＤＭ信号の中から予め設定された１チャンネル分のＯＦＤＭ信号を抽出すると共に、その抽出したＯＦＤＭ信号の遅延プロファイルを算出し、その遅延プロファイルから受信アンテナにて受信された全チャンネルのＯＦＤＭ信号に対する回り込み除去信号を生成することを提案した。
【００１２】
つまり、ＳＦＮ方式の中継装置は、通常、固定局として用いられることから、送・受信信号に周波数誤差が生じ難く、各チャンネルのＯＦＤＭ信号の遅延プロファイルが略同一になると考えられる。
【００１３】
このため、上記提案の技術では、受信した全チャンネルのＯＦＤＭ信号の中から特定チャンネルのＯＦＤＭ信号を抽出して、そのＯＦＤＭ信号の遅延プロファイルを測定し、その遅延プロファイルに基づき、受信した全チャンネルのＯＦＤＭ信号に対する回り込み除去信号を生成して、各チャンネルのＯＦＤＭ信号から回り込み信号を除去するのである。
【００１４】
従って、この提案の技術によれば、従来のように、各チャンネルのＯＦＤＭ毎に遅延プロファイルを算出したり、全チャンネル分の遅延プロファイルを一括して算出する必要がなく、ＯＦＤＭ信号１チャンネル分の遅延プロファイルを用いて各チャンネルの回り込み信号を除去することができるので、多チャンネル用の回り込みキャンセラを低コストで実現できることになる。
【００１５】
しかしながら、上記提案の技術では、受信アンテナにて受信されるチャンネル毎のＯＦＤＭ信号にレベル差があり、チャンネル毎に、ＡＧＣ回路付きの増幅器にて信号レベルを揃えて再送信しようとすると、遅延プロファイルを測定した特定チャンネルのＯＦＤＭ信号とレベル差があるＯＦＤＭ信号では、そのレベル差により過補償となったり補償不足となったりして、全チャンネルのＯＦＤＭ信号から回り込み信号を良好に低減することができなくなる、という問題があった。
【００１６】
つまり、遅延プロファイルの測定対象となる特定チャンネルのＯＦＤＭ信号よりも受信レベルが低いチャンネルでは、ＡＧＣ回路付き増幅器によるＯＦＤＭ信号の増幅率が特定チャンネルでの増幅率よりも大きくなるので、回り込み信号除去のためにＯＦＤＭ信号に加算された回り込み除去信号の信号レベルが適正値よりも大きくなってしまい、過補償となる。
【００１７】
また逆に、特定チャンネルのＯＦＤＭ信号よりも受信レベルが高いチャンネルでは、ＡＧＣ回路付き増幅器によるＯＦＤＭ信号の増幅率が特定チャンネルでの増幅率よりも小さくなるので、回り込み信号除去のためにＯＦＤＭ信号に加算された回り込み除去信号の信号レベルが適正値よりも小さくなってしまい、補償不足となる。
【００１８】
また、上記提案の技術では、送信した各チャンネルのＯＦＤＭ信号の回り込み特性が、各チャンネルで略同一になるものとしていることから、各チャンネルの回り込み特性が異なるような場合には、回り込み信号を良好に低減することができないという問題もある。
【００１９】
本発明は、こうした問題に鑑みなされたものであり、多チャンネルのＯＦＤＭ信号を周波数変換することなく中継するＳＦＮ方式の中継装置において、各チャンネル共通の遅延プロファイル測定手段を使って、チャンネル毎に適正に回り込み除去信号を生成し得る回り込みキャンセラを提供することで、回り込みキャンセラのコストアップを招くことなく、回り込み信号を適正に除去できるようにすることを目的とする。
【課題を解決するための手段】
【００２０】
かかる目的を達成するためになされた請求項１に記載の発明は、
多チャンネルのＯＦＤＭ信号を受信アンテナにて受信し、該受信信号を送信アンテナから再送信する中継装置において、前記送信アンテナからの送信電波が前記受信アンテナに回り込むことにより前記受信信号に重畳された回り込み信号を除去する回り込みキャンセラであって、
前記受信アンテナにて受信された各チャンネルのＯＦＤＭ信号を、それぞれ、全チャンネル共通の特定周波数に周波数変換すると共に、該周波数変換後の特定周波数のＯＦＤＭ信号を抽出する複数の信号抽出手段と、
前記複数の信号抽出手段にて抽出された各チャンネルのＯＦＤＭ信号を時分割で順次取り込み、その取り込んだチャンネル毎に、前記送信アンテナから送信されたＯＦＤＭ信号の遅延プロファイルを算出する、一つの遅延プロファイル算出手段と、
該遅延プロファイル算出手段にてチャンネル毎に算出された遅延プロファイルに基づき、前記受信アンテナにて受信された各チャンネルのＯＦＤＭ信号に対する回り込み除去信号を各々生成する複数の除去信号生成手段と、
前記複数の除去信号生成手段にて生成された各チャンネルの回り込み除去信号を用いて、前記複数の信号抽出手段にて抽出された各チャンネルのＯＦＤＭ信号から回り込み信号を除去する複数の回り込み除去手段と、
前記複数の回り込み除去手段にて回り込み信号が除去されたＯＦＤＭ信号を、前記各信号抽出手段にて周波数変換される前の元の周波数に周波数変換する複数の周波数変換手段と、
該複数の周波数変換手段にて周波数変換された各チャンネルのＯＦＤＭ信号を混合して前記送信アンテナ側に出力する混合手段と、
前記複数の回り込み除去手段にて回り込み信号が除去されたＯＦＤＭ信号、若しくは、前記複数の周波数変換手段にて周波数変換され前記混合手段に入力されるＯＦＤＭ信号、の信号レベルを、それぞれ、所定の送信レベルに調整する複数のレベル調整手段と、
を備えたことを特徴とする。
【００２１】
また、請求項２に記載の発明は、請求項１に記載の回り込みキャンセラにおいて、
前記遅延プロファイル算出手段は、
前記各信号抽出手段にて抽出されたＯＦＤＭ信号を離散フーリエ変換することで当該ＯＦＤＭ信号の周波数軸上のスペクトルを抽出する離散フーリエ変換部と、
該離散フーリエ変換部にて抽出されたスペクトルに基づき前記送信アンテナから前記受信アンテナに至る伝送路の伝達関数を算出する伝達関数算出部と、
該伝達関数算出部にて算出された伝達関数の逆数を算出する逆数算出部と、
該逆数算出部からの出力を逆離散フーリエ変換することで前記遅延プロファイルを導出する逆離散フーリエ変換部と、
を備えたことを特徴とする。
【００２２】
また、請求項３に記載の発明は、請求項１又は請求項２に記載の回り込みキャンセラにおいて、
回り込み信号の除去対象となる対象チャンネルを外部から指定するための入力手段と、
前記信号抽出手段、前記除去信号生成手段、前記回り込み除去手段、前記周波数変換手段、及び、前記レベル調整手段によりチャンネル毎に構成される複数の信号処理手段の内、前記入力手段を介して指定された対象チャンネルに対応する信号処理手段を選択的に動作させ、該対象チャンネル以外のチャンネルに対応した信号処理手段の動作を停止させると共に、前記遅延プロファイル算出手段が時分割で順次取り込み前記遅延プロファイルを算出するＯＦＤＭ信号を、前記入力手段を介して指定された対象チャンネルのＯＦＤＭ信号に制限する制御手段と、
を備えたことを特徴とする。
【００２３】
また、請求項４に記載の発明は、多チャンネルのＯＦＤＭ信号を受信アンテナにて受信し、該受信信号を送信アンテナから再送信する中継装置において、前記送信アンテナからの送信電波が前記受信アンテナに回り込むことにより前記受信信号に重畳された回り込み信号を除去する回り込みキャンセラとして、請求項１〜請求項３の何れかに記載の回り込みキャンセラを備えたことを特徴とする。
【発明の効果】
【００２４】
請求項１に記載の回り込みキャンセラにおいては、受信アンテナにて受信された各チャンネルのＯＦＤＭ信号を、それぞれ、全チャンネル共通の特定周波数に周波数変換すると共に、その周波数変換後の特定周波数のＯＦＤＭ信号を抽出する複数の信号抽出手段が備えられている。
【００２５】
そして、全チャンネル共通の一つの遅延プロファイル算出手段が、各信号抽出手段にて抽出された各チャンネルのＯＦＤＭ信号を時分割で順次取り込み、その取り込んだチャンネル毎に、送信アンテナから送信されたＯＦＤＭ信号の遅延プロファイルを算出する。
【００２６】
つまり、本発明の回り込みキャンセラにおいては、一つの遅延プロファイル算出手段にて、各チャンネルのＯＦＤＭ信号の遅延プロファイルを時分割で算出できるように、複数の信号抽出手段にて、各チャンネルのＯＦＤＭ信号を全チャンネル共通の特定周波数に周波数変換し、遅延プロファイル算出手段が、その周波数変換された各チャンネルのＯＦＤＭ信号から各チャンネルの遅延プロファイルを算出するようにしている。
【００２７】
また、遅延プロファイル算出手段にてチャンネル毎に算出された遅延プロファイルは、それぞれ、複数の除去信号生成手段に入力される。
この複数の除去信号生成手段は、遅延プロファイル算出手段にて算出された一つのチャンネルの遅延プロファイルを用いて、この遅延プロファイルに対応するチャンネルのＯＦＤＭ信号に対する回り込み除去信号を生成するものであり、信号抽出手段と同様、受信アンテナにて受信されたチャンネル毎に備えられる。
【００２８】
そして、これら各除去信号生成手段にて生成された各チャンネルの回り込み除去信号は、それぞれ、対応するチャンネルの回り込み除去手段に入力され、複数の信号抽出手段にて抽出された各チャンネルのＯＦＤＭ信号から回り込み信号を除去するのに用いられる。
【００２９】
また、各回り込み除去手段にて回り込み信号が除去された各チャンネルのＯＦＤＭ信号は、チャンネル毎に設けられた複数の周波数変換手段にて、各信号抽出手段にて周波数変換される前の元の周波数に周波数変換された後、混合手段にて混合されて、送信アンテナ側に出力される。
【００３０】
また、各回り込み除去手段にて回り込み信号が除去されたＯＦＤＭ信号、若しくは、各周波数変換手段にて周波数変換され前記混合手段に入力されるＯＦＤＭ信号は、それぞれ、その信号レベルが所定の送信レベルとなるよう、チャンネル毎に設けられたレベル調整手段にてレベル調整される。
【００３１】
このように、本発明の回り込みキャンセラにおいては、上記提案のもののように、受信アンテナにて受信された複数チャンネルのＯＦＤＭ信号の中から特定チャンネルのＯＦＤＭ信号を抽出して遅延プロファイルを算出し、その遅延プロファイルから、受信した全チャンネルのＯＦＤＭ信号に対する回り込み除去信号を生成するのではなく、各チャンネルのＯＦＤＭ信号を用いてチャンネル毎に遅延プロファイルを算出し、各チャンネルのＯＦＤＭ信号に対する回り込み除去信号を生成する。
【００３２】
このため、受信アンテナにて受信された各チャンネルのＯＦＤＭ信号の信号レベルにバラツキがある場合であっても、各チャンネルのＯＦＤＭ信号から回り込み信号を除去する際に、回り込み除去信号が適正値から外れて、過補償若しくは補償不足となるようなことはなく、各チャンネルのＯＦＤＭ信号から回り込み信号を良好に除去することができる。
【００３３】
また、本発明の回り込みキャンセラにおいては、全チャンネル共通の一つの遅延プロファイル算出手段を備え、この遅延プロファイル算出手段に、各チャンネルのＯＦＤＭ信号を時分割で入力し、しかも、その入力するＯＦＤＭ信号の周波数は、全チャンネル共通の特定周波数にしている。
【００３４】
このため、本発明によれば、回り込みキャンセラの主要部となる遅延プロファイル算出手段については、チャンネル毎に遅延プロファイルを算出する従来装置においてチャンネル毎に設けられる遅延プロファイル算出手段と同様のものを、一つだけ設ければよく、従来装置に対しては、充分コスト低減を図ることができる。
【００３５】
ところで、この遅延プロファイル算出手段としては、［背景技術］の項で挙げた（ａ）〜（ｃ）の方法等、従来から知られている各種演算方法を利用して遅延プロファイルを算出するように構成すればよいが、例えば、請求項２に記載のように構成すれば、測定対象となる遅延プロファイルを精度よく算出することができる。
【００３６】
すなわち、請求項２に記載の回り込みキャンセラにおいて、遅延プロファイル算出手段は、まず、離散フーリエ変換部にて、信号抽出手段にて抽出されたＯＦＤＭ信号を離散フーリエ変換することで、当該ＯＦＤＭ信号の周波数軸上のスペクトルを抽出する。そして、伝達関数算出部にて、離散フーリエ変換部で抽出されたスペクトルに基づき送信アンテナから受信アンテナに至る伝送路の伝達関数を算出し、逆数算出部にて、その算出された伝達関数の逆数を算出し、逆離散フーリエ変換部にて、逆数算出部からの出力を逆離散フーリエ変換することで、遅延プロファイルを導出する。
【００３７】
そして、遅延プロファイル算出手段をこのように構成すれば、ＯＦＤＭ信号の遅延プロファイルを、伝送路の伝達関数に基づき導出することができるので、遅延プロファイルを精度よく算出することができ、延いては、各チャンネルのＯＦＤＭ信号から回り込み信号を良好に除去することが可能となる。
【００３８】
一方、本発明の回り込みキャンセラにおいては、信号抽出手段、除去信号生成手段、回り込み除去手段、周波数変換手段、及び、レベル調整手段が、受信アンテナにて受信されるチャンネル毎に設けられるが、受信アンテナにて受信されて回り込み信号を除去すべきＯＦＤＭ信号のチャンネル数は、当該回り込みキャンセラが設けられる中継装置の設置場所や放送局からの放送状況等によって変化することがある。
【００３９】
このため、信号抽出手段、除去信号生成手段、回り込み除去手段、周波数変換手段、及び、レベル調整手段にて構成される信号処理手段を、回り込みキャンセラに設けられている全チャンネル分動作させるようにすると、回り込み信号を除去する必要のないチャンネル（換言すれば、実際には存在しないＯＦＤＭ信号のチャンネル）に対応した信号処理手段にて、回り込み信号の除去には不要な回り込み除去信号が生成されることになり、この回り込み除去信号がノイズとなって、他のチャンネルのＯＦＤＭ信号に影響を与えることが考えられる。
【００４０】
そこで、本発明（請求項１又は請求項２）の回り込みキャンセラには、更に、請求項３に記載のように、回り込み信号の除去対象となる対象チャンネルを外部から指定するための入力手段と、制御手段とを設けるよい。
【００４１】
すなわち、請求項３に記載の回り込みキャンセラにおいて、制御手段は、信号抽出手段、除去信号生成手段、回り込み除去手段、周波数変換手段、及び、レベル調整手段によりチャンネル毎に構成される複数の信号処理手段の内、入力手段を介して指定された対象チャンネルに対応する信号処理手段を選択的に動作させ、その対象チャンネル以外のチャンネルに対応した信号処理手段の動作を停止させると共に、遅延プロファイル算出手段が時分割で順次取り込み遅延プロファイルを算出するＯＦＤＭ信号を、入力手段を介して指定された対象チャンネルのＯＦＤＭ信号に制限する。
【００４２】
従って、請求項３に記載の回り込みキャンセラによれば、信号抽出手段、除去信号生成手段、回り込み除去手段、周波数変換手段、及び、レベル調整手段によりチャンネル毎に構成される複数の信号処理手段は、入力手段を介して指定された対象チャンネルに対応する信号処理手段だけが動作し、入力手段を介して指定された対象チャンネル以外のチャンネルに対応する信号処理手段は、動作を停止することになる。
【００４３】
よって、本発明の回り込みキャンセラによれば、複数の信号処理手段の内、回り込み信号を除去すべき対象チャンネルに対応する信号処理手段だけを選択的に動作させて、対象チャンネルに対応しない信号処理手段の動作を停止させることにより、回り込みキャンセラによる消費電力を低減し、回り込みキャンセラの省エネ化を図ることができる。
【００４４】
また、対象チャンネルに対応しない信号処理手段の動作を停止させることにより、不要なノイズの発生を防止し、送信アンテナから送信される送信信号の信号品質を向上することができる。
【００４５】
また、請求項３に記載の回り込みキャンセラによれば、制御手段は、単に、対象チャンネルに対応する信号処理手段を選択的に動作させるだけでなく、遅延プロファイル算出手段が時分割で順次取り込み遅延プロファイルを算出するＯＦＤＭ信号を、入力手段を介して指定された対象チャンネルのＯＦＤＭ信号に制限することから、対象チャンネルに対応する遅延プロファイルの算出周期、延いては、回り込み除去信号の算出周期を、必要最小限に短くすることができる。
【００４６】
このため、本発明の回り込みキャンセラによれば、回り込み除去信号の更新頻度を高めて、回り込み信号の除去精度を向上することができる。
また、請求項４に記載の中継装置によれば、上述した本発明の回り込みキャンセラを備えているので、送信アンテナからの送信電波が受信アンテナに回り込んで、受信信号にその回り込み信号が重畳されても、回り込みキャンセラにて、受信信号から回り込み信号を除去することができる。
【００４７】
そして、本発明の回り込みキャンセラは、回り込み信号を良好に除去することができるだけでなく、従来のものに比べて製造コストを低減することができることから、本発明の中継装置によれば、回り込み信号により発振等の不具合が生じるのを防止し得る中継装置を、低コストで実現できることになる。
【図面の簡単な説明】
【００４８】
【図１】実施形態の中継装置の構成を表すブロック図である。
【図２】図１に示す演算部の構成を表すブロック図である。
【図３】図１に示す（ａ）〜（ｅ）の各部における受信信号を説明図である。
【図４】実施形態の変形例の中継装置の構成を表すブロック図である。
【発明を実施するための形態】
【００４９】
以下に本発明の実施形態を図面と共に説明する。
図１は、本発明が適用された中継装置全体の構成を表すブロック図である。
本実施形態の中継装置は、地上デジタルテレビ放送の放送電波を受信アンテナ２で受信し、その受信信号を、放送電波が直接届かない地域に向けて、送信アンテナ４から再送信するものである。
【００５０】
そして、本実施形態の中継装置には、送信アンテナ４からの送信電波が受信アンテナ２に回り込むことによって受信信号に重畳された回り込み信号を、受信信号から除去するための回り込みキャンセラとして、Ａ／Ｄ変換部６、受信周波数変換部７、チャンネル信号処理部１０、混合部４０、Ｄ／Ａ変換部８、送信周波数変換部９、入力選択部４２、出力選択部４４、タイミング制御部４６、及び、演算部５０が設けられている。
【００５１】
なお、チャンネル信号処理部１０は、図に示す符号１０-1，１０-2，…１０-nから明らかなように、再送信すべき放送信号（ＯＦＤＭ信号）のチャンネル数（ｎ）に対応した数だけ設けられている。
【００５２】
ここで、まず、受信周波数変換部７は、受信アンテナ２からの受信信号のうち、中継対象となるＯＦＤＭ信号が、図３（ａ）に示すように、ベースバンド付近でチャンネル毎に一定間隔（本実施形態では６ＭＨｚ間隔）で並ぶよう、受信信号を各チャンネル毎（図３では全４チャンネル）に周波数変換するものである。
【００５３】
そして、Ａ／Ｄ変換部６は、この受信周波数変換部７で配列された全チャンネルの受信信号をデジタルデータに変換する。
なお、図３（ａ）、（ｂ）に点線で示す信号波形は、Ａ／Ｄ変換部６で受信信号をサンプリング周波数Ｆｓでサンプリングすることによって生成されるイメージ成分を表している。
【００５４】
次に、このＡ／Ｄ変換部６にてデジタルデータに変換されたベースバンドのＯＦＤＭ信号（図３（ａ）参照）は、それぞれ、ｎ個のチャンネル信号処理部１０（１０-1，１０-2，…１０-n）に入力される。
【００５５】
各チャンネル信号処理部１０（１０-1，１０-2，…１０-n）は、各チャンネル信号処理部１０に割り当てられた処理対象となるチャンネルのＯＦＤＭ信号毎に、回り込み信号を除去するのに必要な回り込み除去信号（以下、キャンセル信号という）を生成し、その生成したキャンセル信号をＯＦＤＭ信号に加算することで、ＯＦＤＭ信号から回り込み信号を除去するものである。
【００５６】
そして、各チャンネル信号処理部１０（１０-1，１０-2，…１０-n）にて回り込み信号が除去された各チャンネルのＯＦＤＭ信号は、混合部４０にて混合（加算）された後、Ｄ／Ａ変換部８に出力され、Ｄ／Ａ変換部８は、混合部４０からの入力信号（多チャンネルのＯＦＭＤ信号）をアナログ信号に変換する。
【００５７】
また、Ｄ／Ａ変換部８にて変換されたアナログ信号は、送信周波数変換部９に入力され、この送信周波数変換部９にて、チャンネル毎に、受信周波数変換部７で周波数変換される前の元の周波数に周波数変換された後、再送信用の送信信号として送信アンテナ４に出力される。
【００５８】
次に、チャンネル信号処理部１０（１０-1，１０-2，…１０-n）の構成、並びに、入力選択部４２、出力選択部４４、タイミング制御部４６及び演算部５０の動作、について説明する。
【００５９】
なお、これら各部は、全て、デジタルデータを処理するデジタル回路にて構成されており、各チャンネル信号処理部１０も、各種デジタル回路（論理ゲート等）からなるＡＳＩＣ等で構成されているが、図１では、その機能を分かり易く説明するため、各チャンネル信号処理部１０の構成を機能ブロックで表している。
【００６０】
図１に示すように、各チャンネル信号処理部１０には、Ａ／Ｄ変換部６を介して入力される受信信号と局部発振部１２で生成された局部発振信号とをミキサ部１４にて混合することで、処理対象となる特定チャンネルのＯＦＤＭ信号の中心周波数が基準周波数（例えば０ＭＨｚ）となるように、受信信号を周波数変換する入力側の周波数変換部が設けられている。
【００６１】
なお、各チャンネル信号処理部１０（１０-1，１０-2，…１０-n）は、処理対象となるＯＦＤＭ信号のチャンネルが異なるものの、図３（ｂ）に例示するように、処理対象となるＯＦＤＭ信号の中心周波数が、各チャンネル共通の基準周波数（例えば０ＭＨｚ）となるように、受信信号を周波数変換する。
【００６２】
このため、各チャンネル信号処理部１０（１０-1，１０-2，…１０-n）において、局部発振部１２で生成される局部発振信号の周波数は、受信信号のうち、処理対象となるＯＦＤＭ信号の中心周波数に対応した周波数（各チャンネルのＯＦＤＭ信号が図３に示す周波数配列の場合、６ＭＨｚ、１２ＭＨｚ、１８ＭＨｚ、２４ＭＨｚ）となるように設定される。
【００６３】
そして、このように周波数変換された受信信号は、処理対象となるＯＦＤＭ信号（周波数帯域：基準周波数±２．８ＭＨｚ）のみを選択的に通過させるローパスフィルタ（ＬＰＦ：デジタルフィルタ）１６を介して、ダウンサンプリング部１８に入力される。
【００６４】
ダウンサンプリング部１８は、ＯＦＤＭ信号のデータ数が所定数（ｍ）分の１となるよう、ＬＰＦ１６から出力されるＯＦＤＭ信号をダウンサンプリングする。
そして、そのダウンサンプリングされたＯＦＤＭ信号（図３（ｃ）参照）は、加算部２２に入力され、加算部２２で、ＦＩＲフィルタ２０にて生成された回り込み除去信号と加算されることにより、ＯＦＤＭ信号から回り込み信号が除去される。
【００６５】
また、回り込み信号除去後のＯＦＤＭ信号（図３（ｄ）参照）は、処理対象となるＯＦＤＭ信号（周波数帯域：基準周波数±２．８ＭＨｚ）のみを選択的に通過させるローパスフィルタ（ＬＰＦ：デジタルフィルタ）２４に入力されることにより、帯域外のノイズ成分が除去された後（図３（ｅ）参照）、増幅部２８に入力される。
【００６６】
この増幅部２８は、所謂ＡＧＣ回路付きの増幅部であり、ＯＦＤＭ信号は、その出力レベルが一定レベルとなるよう増幅処理された後、アップサンプリング部３０に入力される。
【００６７】
そして、アップサンプリング部３０では、ＯＦＤＭ信号のデータ数が、ダウンサンプリング部１８にてダウンサンプリングされる前のデータ数となるよう、ＯＦＤＭ信号のデータ数を所定数（ｍ）倍にアップサンプリングする。
【００６８】
また、アップサンプリング部３０でアップサンプリングされたＯＦＤＭ信号は、ＬＰＦ１６と同様のフィルタ処理を実行することにより、ＯＦＤＭ信号（周波数帯域：基準周波数±２．８ＭＨｚ）のみを選択的に通過させるローパスフィルタ（ＬＰＦ：デジタルフィルタ）３２を介して、ミキサ部３４に入力され、ミキサ部３４にて、局部発振部１２で生成された局部発振信号と混合されることで、入力側の周波数変換部で周波数変換される前の元の周波数帯のＯＦＤＭ信号に変換された後、混合部４０に出力される。
【００６９】
次に、ＦＩＲフィルタ２０は、ＬＰＦ２４にてフィルタ処理されたＯＦＤＭ信号を、遅延素子部２６を介して取り込み、その取り込んだＯＦＤＭ信号を、出力選択部４４を介して入力されるフィルタ係数に基づきフィルタ処理することで、ダウンサンプリング部１８を介して入力されたＯＦＤＭ信号から回り込み信号を除去するためのキャンセル信号を生成するものである。
【００７０】
なお、遅延素子部２６は、ダウンサンプリング部１８を介して加算部２２に入力されるＯＦＤＭ信号と、ＦＩＲフィルタ２０にて生成されるキャンセル信号との位相を一致させるために、ＦＩＲフィルタ２０に入力されるＯＦＤＭ信号の位相を調整するためのものであり、遅延量Ｚ-Xは予め設定されている。
【００７１】
また次に、ＦＩＲフィルタ２０のフィルタ係数は、演算部５０にて算出される。演算部５０は、図２に示すように、離散フーリエ変換部５２、伝達関数算出部５４、逆数算出部５６、逆離散フーリエ変換部５８、及び、係数算出部６０にて構成されている。
【００７２】
この演算部５０には、上記複数（ｎ個）のチャンネル信号処理部１０（１０-1，１０-2，…１０-n）内のＬＰＦ２４にてそれぞれフィルタ処理されたＯＦＤＭ信号の一つが、入力選択部４２を介して選択的に入力され、演算部５０では、その入力されたＯＦＤＭ信号に対する演算処理が実施される。
【００７３】
すなわち、まず、離散フーリエ変換部５２は、入力選択部４２を介して入力されたＯＦＤＭ信号を離散フーリエ変換することで、ＯＦＤＭ信号の周波数軸上のスペクトルを抽出する。そして、その抽出されたスペクトルは、伝達関数算出部５４に入力される。
【００７４】
次に、伝達関数算出部５４は、離散フーリエ変換部５２で抽出されたスペクトルに基づき、送信アンテナ４から受信アンテナ２に至る回り込み信号の伝送路の伝達関数を算出し、逆数算出部５６は、その算出された伝達関数の逆数を算出し、逆離散フーリエ変換部５８は、逆数算出部５６からの出力を逆離散フーリエ変換することで、遅延プロファイルを導出する。
【００７５】
なお、伝達関数を算出して、その逆数から遅延プロファイルを算出する手順は、上述の特許文献１等に記載されており、従来から知られているので、ここでは詳細な説明は省略する。
【００７６】
また、逆離散フーリエ変換部５８で算出された遅延プロファイルは、係数算出部６０に入力される。係数算出部６０は、その入力されたＯＦＤＭ信号の遅延プロファイルに基づき、ＦＩＲフィルタ２０にて回り込み信号除去用のキャンセル信号を生成するのに要するフィルタ係数を算出するものであり、その算出されたフィルタ係数は、出力選択部４４に出力される。
【００７７】
出力選択部４４は、演算部５０から出力されたフィルタ係数を、入力選択部４２がＯＦＤＭ信号を選択したチャンネル信号処理部１０に出力することで、そのチャンネル信号処理部１０内のＦＩＲフィルタ２０のフィルタ係数を、演算部５０にて算出されたフィルタ係数に更新するものであり、タイミング制御部４６から出力される切替タイミング信号に同期して、フィルタ係数を更新するチャンネル信号処理部１０の選択、及び、フィルタ係数の更新を行う。
【００７８】
また同様に、入力選択部４２は、タイミング制御部４６から出力される切替タイミング信号に同期して、演算部５０にＯＦＤＭ信号を入力するチャンネル信号処理部１０を選択し、演算部５０も、タイミング制御部４６から出力される切替タイミング信号に同期して、離散フーリエ変換部５２から係数算出部６０に至る一連の処理を開始する。
【００７９】
つまり、本実施形態では、タイミング制御部４６が、演算部５０で一連の演算処理を実行するのに要する時間よりも少し長い一定間隔で、周期的に切替タイミング信号を出力するように構成されている。
【００８０】
そして、入力選択部４２が、その切替タイミング信号に同期して、演算部にＯＦＤＭ信号を入力するチャンネル信号処理部１０を、チャンネル信号処理部１０-1から１０-nの間で順次切り替え、演算部５０が、その切り替えられたチャンネル信号処理部１０からのＯＦＤＭ信号に基づき、各チャンネル信号処理部１０に対応したフィルタ係数を順次算出し、出力選択部４４が、その算出されたフィルタ係数を、このフィルタ係数に対応するチャンネル信号処理部１０に出力することで、そのチャンネル信号処理部１０内のＦＩＲフィルタ２０のフィルタ係数を更新するのである。
【００８１】
以上説明したように、本実施形態の中継装置（換言すれば回り込みキャンセラ）によれば、中継対象となるチャンネルのＯＦＤＭ信号毎に、チャンネル信号処理部１０にて回り込み信号除去用のキャンセル信号が生成されてＯＦＤＭ信号から回り込み信号が除去される。
【００８２】
そして、その回り込み信号を除去するためのキャンセル信号は、各チャンネル信号処理部１０に設けられた、各チャンネル専用のＦＩＲフィルタ２０にて生成され、そのＦＩＲフィルタ２０のフィルタ係数は、演算部５０にて、対応するチャンネルのＯＦＤＭ信号に基づき算出される。
【００８３】
よって、本実施形態の中継装置（換言すれば回り込みキャンセラ）によれば、受信アンテナ２にて受信された各チャンネルのＯＦＤＭ信号の信号レベルにバラツキがある場合であっても、あるチャンネルでキャンセル信号が適正値から外れて、そのチャンネルのＯＦＤＭ信号に対する品質補償が過補償若しくは補償不足となるようなことはなく、各チャンネルのＯＦＤＭ信号から回り込み信号を良好に除去することが可能となる。
【００８４】
また、本実施形態の中継装置（換言すれば回り込みキャンセラ）によれば、チャンネル毎に適正なキャンセル信号を生成できるものの、その生成に用いられるフィルタ係数（換言すれば遅延プロファイル）は、全チャンネル共通の一つの演算部５０を用いて時分割で生成することから、チャンネル毎に演算部５０を設ける必要がなく、回り込みキャンセラのコストを低減することができる。
【００８５】
なお、本実施形態においては、各チャンネル信号処理部１０における局部発振部１２、ミキサ部１４、及びＬＰＦ１６が、本発明の信号抽出手段に相当し、同じく遅延素子部２６及びＦＩＲフィルタ２０が、本発明の除去信号生成手段に相当し、同じく加算部２２及びＬＰＦ２４が、本発明の回り込み除去手段に相当し、同じく局部発振部１２及びミキサ部３４が、本発明の周波数変換手段に相当し、同じく増幅部２８が、本発明のレベル調整手段に相当し、これら各部にて構成されたチャンネル信号処理手段１０-1、１０-2、…１０-nが、本発明の信号処理手段に相当する。また、混合部４０は、本発明の混合手段に相当し、演算部５０は、本発明の遅延プロファイル算出手段に相当する。
【００８６】
ここで、本実施形態では、ダウンサンプリング部１８によって、ＬＰＦ１６を通過したＯＦＤＭ信号のデータ数を、所定数（ｍ）分の１となるようダウンサンプリングし、更に、増幅部２８にて一定レベルまで増幅されたＯＦＤＭ信号のデータ数を、アップサンプリング部３０によって所定数（ｍ）倍することで、そのデータ数を元のデータ数に戻すようにされているが、この理由は以下の通りである。
【００８７】
まず、日本の地上デジタル放送信号（ＯＦＤＭ信号を使ったテレビ放送信号）をサンプリングする際、そのサンプリングを正確に実行するのに必要な１波当たりの「基本サンプリング数」は、少なくとも「２13」にする必要がある。
【００８８】
また、地上デジタル放送信号の受信信号をサンプリングする場合の１波当たりのサンプリング数をＭ′とすると、多波の受信信号を正確にサンプリングするのに必要な総サンプリング数Ｍは、次式（１）の通り、１波当たりのサンプリング数Ｍ′に、受信する波数に応じて決まる「２のべき乗値」からなる所定値ｊを乗じることで求められる。
【００８９】
総サンプリング数Ｍ＝１波当たりのサンプリング数Ｍ′×ｊ  …（１）
ここで、１波当たりのサンプリング数Ｍ′は、次式（２）の通りである。
サンプリング数Ｍ′＝２13×２k   …（２）
（但し、ｋ＝０，１，２，３・・・）
また、所定値ｊは、波数が２以上で、しかも「２のべき乗値」の場合は、ｊ＝波数（例えば、波数＝４の場合：ｊ＝２2 、波数＝８の場合：ｊ＝２3 ）となり、波数が２以上で、しかも「２のべき乗値」ではない場合は、ｊ＝波数より大きい直近の「２のべき乗値」（例えば、波数＝３の場合：ｊ＝２2 、波数＝５，６，７の場合：ｊ＝２3 ）となる。
【００９０】
なお、ｋは、１波当たりのサンプリング数Ｍ′を決めるための補正値であり、サンプリングの精度を上げるため、１波当たりのサンプリング数を基本サンプリング数：２13より増やす場合に使用する。
【００９１】
つまり、総サンプリング数Ｍの最小値は、ｋ＝０としたときの１波当たりのサンプリング数Ｍ′＝２13×２0 に、波数に応じて決まる所定値ｊを乗じた値となり、サンプリング及び演算の精度を上げる場合は、１波当たりに必要な「基本サンプリング数」である「２13」に対し、「２1 」（ｋ＝１）、「２2 」（ｋ＝２）、・・・を乗じて、１波当たりのサンプリング数Ｍ′を増やせばよい。
【００９２】
そして、本実施形態では、例えば、１波当たりのサンプリング数Ｍ′＝２13×２0 とし、受信信号の波数を最大８波として、Ａ／Ｄ変換部６で受信信号（８波のＯＦＤＭ信号）をＡ／Ｄ変換する際のサンプリング数Ｍを、次式（３）の通り、６５５３６個としている。
【００９３】
Ｍ＝「２13×２0 」×「２3 」    …（３）
＝８１９２×８
＝６５５３６
また、本実施形態では、ＬＰＦ１２において、Ａ／Ｄ変換部６にてＡ／Ｄ変換（サンプリング）されたＯＦＤＭ信号（多波）の中から、ＯＦＤＭ信号１波を抽出し、その抽出したＯＦＤＭ信号に基づき遅延プロファイル（延いてはキャンセル信号）を算出する。
【００９４】
そして、この遅延プロファイルの算出には、ＬＰＦ１６でフィルタリングされたＯＦＤＭ信号１波分の全データ（６５５３６個）を用いる必要はなく、ＬＰＦ１６からの出力データをダウンサンプリングしても、ＯＦＤＭ信号１波分の遅延プロファイルを算出することができる。
【００９５】
そこで、本実施形態では、ＬＰＦ１６と加算部２２との間にダウンサンプリング部１８を設けて、ＬＰＦ１６から出力される受信信号１チャンネル分のデータをダウンサンプリングすることで、遅延プロファイル（延いてはキャンセル信号）の演算に用いるＯＦＤＭ信号のデータ数を、Ａ／Ｄ変換部６でのサンプリング数の所定数（ｍ）分の１にして、チャンネル信号処理部１０及び演算部５０での演算負荷を軽減し、その後、アップサンプリング部３０にて、ＯＦＤＭ信号のサンプリング数を所定数（ｍ）倍にアップサンプリングすることで、ミキサ部３４にて、元のＯＦＤＭ信号と同じデータ数のＯＦＤＭ信号を復元するようにしているのである。
【００９６】
また、このように、ＬＰＦ１６から出力される総サンプリング数Ｍのデータを、所定数（ｍ）分の１にダウンサンプリングする場合、ダウンサンプリング後のサンプリング数Ｍ″は、１波当たりに必要な「基本サンプリング数」＝「２13」と同じか、若しくは、「２13」よりも大きく、総サンプリング数Ｍを超えない「２のべき乗値」となるように決めればよい。
【００９７】
具体的には、３波受信の場合、Ｍ′＝（２13×２k ）、ｊ＝２2 であるから、総サンプリング数Ｍ＝（２13×２k ）×２2 となり、ダウンサンプリング時の所定数（ｍ）は、ｋ＝０の場合：２0 ，２1 ，２2 の何れかとなり、ｋ＝１の場合：２0 ，２1 ，２2 ，２3 の何れかとなる。
【００９８】
また、８波受信の場合、Ｍ′＝（２13×２k ）、ｊ＝２3 であるから、総サンプリング数Ｍ＝（２13×２k ）×２3 となり、ダウンサンプリング時の所定数（ｍ）は、ｋ＝０の場合：２0 ，２1 ，２2 ，２3 の何れかとなり、ｋ＝１の場合：２0 ，２1 ，２2 ，２3 ，２4 の何れかとなる。
【００９９】
つまり、ダウンサンプリングのサイズを決めるための所定数（ｍ）は、下記範囲内の「２のべき乗値」の何れかにすればよい。
１ ≦ 所定数（ｍ）
所定数（ｍ）≦ 総サンプリング数Ｍ ／「基本サンプリング数」
そして、本実施形態では、ダウンサンプリング部１８でダウンサンプリングする際の所定値（ｍ）を値８（＝２3 ）とすることで、ＬＰＦ１６から出力されるＯＦＤＭ信号１波分のデータ（サンプリング数Ｍ：６５５３６）を、１／８にダウンサンプリングし、そのダウンサンプリング後のデータ（サンプリング数：８１９２）を演算部５０に出力することで、遅延プロファイル（延いてはフィルタ係数）を算出し、更に、アップサンプリング部３０で、増幅部２８から出力されるＯＦＤＭ信号（サンプリング数：８１９２）を８倍することで、そのＯＦＤＭ信号をダウンプリングされる前のデータ数となるよう、拡張するようにしている。
【０１００】
なお、上記説明を要約すると、本実施形態の中継装置を構成する際には、下記のように設定するとよいことになる。
・総サンプリング数Ｍ、１波当たりのサンプリング数Ｍ′、ダウンサンプリングサイズ、アップサンプリングサイズ等は、すべて「２のべき乗値」とする。
【０１０１】
・受信する波数に応じた「２のべき乗値」からなる所定値ｊを決める。
・複数のチャンネルを受信するための総サンプリング数Ｍは、「基本サンプリング数」（例えば、２13）から求めた１波当たりのサンプリング数Ｍ′（２13×２k ）に、受信する波数に応じて決まる所定値ｊを乗じて決める。
【０１０２】
・ダウンサンプリングのサイズを決める所定数（ｍ）は、算出した総サンプリング数Ｍを所定数（ｍ）で割ったダウンサンプリング後のサンプリング数Ｍ″が、１波当たりに必要な「基本サンプリング数」２13と等しいか、総サンプリング数Ｍを超えない「２のべき乗値」となるように決める。
【０１０３】
・アップサンプリングは、ダウンサンプリングの所定数（ｍ）と同じサイズで拡張する。
但し、「基本サンプリング数」は、必ずしも「２13」以上にする必要はなく、本発明が適用される中継装置による中継信号（ＯＦＤＭ信号）に応じて適宜設定すればよい。
【０１０４】
以上、本発明の一実施形態について説明したが、本発明は、上記実施形態に限定されるものではなく、本発明の要旨を逸脱しない範囲内にて、種々の態様をとることができる。
例えば、上記実施形態では、信号処理手段としてのチャンネル信号処理部１０-1、１０-2、…１０-nは常時動作し、入力選択部４２は、タイミング制御部４６から周期的に出力される切替タイミング信号に同期して、演算部５０へのＯＦＤＭ信号の入力元をチャンネル信号処理部１０-1〜１０-nの何れかに順次切り換え、出力選択部４４は、その切り換えに同期して、ＦＩＲフィルタ２０のフィルタ係数を演算部５０にて算出されたフィルタ係数に更新するチャンネル信号処理部１０-1〜１０-nを切り換えるものとして説明した。
【０１０５】
しかし、このようにすると、再送信すべきＯＦＤＭ信号のチャンネル数が、チャンネル信号処理部１０-1〜１０-nにて回り込み信号を除去可能なチャンネル数よりも少なく、回り込み信号の除去動作が不要なチャンネル信号処理部１０が存在する場合に、その不要なチャンネル信号処理部１０にて、回り込み信号の除去には不要な回り込み除去信号が生成されることになる。
【０１０６】
このため、図３に示すように、上記実施形態の回り込みキャンセラには、更に、回り込み信号の除去対象となる対象チャンネルを外部操作により手動で指定するための対象チャンネル選択スイッチ６２と、この対象チャンネル選択スイッチ６２にて指定された対象チャンネルに応じて、チャンネル信号処理部１０-1〜１０-n、入力選択部４２，及び出力選択部４４の動作を設定する対象チャンネル設定部６４を設けるようにしてもよい。
【０１０７】
ここで、対象チャンネル設定部６４は、本発明の制御手段に相当するものであり、入力手段としての対象チャンネル選択スイッチ６２を介して指定された対象チャンネルに応じて、その対象チャンネルに対応したチャンネル信号処理部１０を選択的に動作させ、対象チャンネル以外のチャンネルに対応したチャンネル信号処理部１０の動作を停止させると共に、入力選択部４２がＯＦＤＭ信号を取り込み、且つ、出力選択部４４がフィルタ係数を出力するチャンネル信号処理部１０を、対象チャンネルに制限するよう構成する。
【０１０８】
この結果、図４に示す回り込みキャンセラによれば、対象チャンネル選択スイッチ６２を介して指定された対象チャンネルに対応するチャンネル信号処理部１０だけが動作することになり、対象チャンネルに対応しないチャンネル信号処理部１０の動作を停止させて消費電力を低減し、延いては、回り込みキャンセラの省エネ化を図ることができるようになる。
【０１０９】
また、対象チャンネルに対応しないチャンネル信号処理部１０の動作を停止させることにより、その動作を停止させたチャンネル信号処理部１０からの不要なノイズの発生を防止し、送信アンテナ４から送信される送信信号の信号品質を向上することができる。
【０１１０】
また、対象チャンネル設定部７０は、単に、対象チャンネルに対応するチャンネル信号処理部１０を選択的に動作させるだけでなく、入力選択部４２を介して演算部５０に入力されるＯＦＤＭ信号を、対象チャンネルのＯＦＤＭ信号に制限することから、演算部５０による対象チャンネルに対応する遅延プロファイルの算出周期、延いては、動作中のチャンネル信号処理部１０での回り込み除去信号の算出周期を、必要最小限に短くすることができる。
【０１１１】
このため、図４に示す回り込みキャンセラによれば、回り込み除去信号の更新頻度を高めて、回り込み信号の除去精度を向上することができる。
なお、対象チャンネル設定部６４は、各チャンネル信号処理部１０を動作状態若しくは停止状態に切り換えるものであるが、その切り換えは、例えば、各チャンネル信号処理部１０に動作用のクロックを供給するか否かを切り換えることにより行うようにしてもよく、或いは、各チャンネル信号処理部１０への電源供給ラインの導通／遮断を切り換えるようにしてもよい。また、例えば、各チャンネル信号処理部１０を構成している増幅器２８のゲイン（利得）を、通常の利得調整されたゲインにするか、ゼロにするかを切り換えるようにしてもよい。
【０１１２】
一方、例えば、上記実施形態では、各チャンネル信号処理部１０や演算部５０での演算負荷を軽減するため、ダウンサンプリング部１８及びアップサンプリング部３０を設けるものとして説明したが、ダウンサンプリング部１８及びアップサンプリング部３０は必ずしも設ける必要はない。
【０１１３】
また、例えば、上記実施形態では、各チャンネル共通の演算部５０にて、各チャンネルのＯＦＤＭ信号から遅延プロファイルを算出するために、各演算部５０には、離散フーリエ変換部５２、伝達関数算出部５４、逆数算出部５６及び逆離散フーリエ変換部５８を設けるものとして説明したが、遅延プロファイルの算出方法としては、従来から各種方法が知られているので、遅延プロファイル算出手段は、それらの方法を適宜選択して構成すればよい。
【０１１４】
また上記実施形態では、各チャンネル信号処理部１０には、ＬＰＦ２４を通過した回り込み信号除去後のＯＦＤＭ信号を一定レベルまで増幅する増幅部２８を設けるものとして説明したが、この増幅部２８は、ミキサ部３４にて周波数変換されたＯＦＤＭ信号を増幅するよう、ミキサ部３４と混合部４０との間に設けるようにしてもよい。
【０１１５】
また更に、上記実施形態では、ＦＩＲフィルタ２０及び演算部５０には、ＬＰＦ２４を通過した回り込み信号除去後のＯＦＤＭ信号を入力することで、キャンセル信号の生成、遅延プロファイル及びフィルタ係数の算出、を行うものとして説明したが、例えば、ＬＰＦ１６を通過し、ダウンサンプリング部１８でダウンサンプリングされたＯＦＤＭ信号を、ＦＩＲフィルタ２０及び演算部５０に入力するようにしても、キャンセル信号の生成、遅延プロファイル及びフィルタ係数の算出、を行うことはできる。
【符号の説明】
【０１１６】
２…受信アンテナ、４…送信アンテナ、６…Ａ／Ｄ変換部、７…受信周波数変換部、８…Ｄ／Ａ変換部、９…送信周波数変換部、１０…チャンネル信号処理部、１２…局部発振部、１４…ミキサ部、１６…ＬＰＦ、１８…ダウンサンプリング部、２０…ＦＩＲフィルタ、２２…加算部、２４…ＬＰＦ、２６…遅延素子部、２８…増幅部、３０…アップサンプリング部、３２…ＬＰＦ、３４…ミキサ部、４０…混合部、４２…入力選択部、４４…出力選択部、４６…タイミング制御部、５０…演算部、５２…離散フーリエ変換部、５４…伝達関数算出部、５６…逆数算出部、５８…逆離散フーリエ変換部、６０…係数算出部、６２…対象チャンネル選択スイッチ、６４…対象チャンネル設定部。
【図１】
0005591065.tif 000002
【図２】
0005591065.tif 000003
【図３】
0005591065.tif 000004
【図４】
0005591065.tif 000005